(57)【要約】【課題】トレーニングの際に折り曲げ方式によりハードル本体の高さを調整することができるハードル構造を提供する。【解決手段】ハードル構造は、ハードル本体Ａを備える。ハードル本体Ａは、横杆１と、２つの直杆２と、２つの支持杆３とを有する。各直杆２の下端には、下部枢着端２１が設けられる。各支持杆３は、枢着端３１をそれぞれ有する。複数の枢着部材４は、第１の組立部４１及び第２の組立部４２をそれぞれ有する。第１の組立部４１は、第２の組立部４２に回動可能に連結される。第１の組立部４１は、枢着エリアを有する。第１の組立部４１の枢着エリアは、直杆２の下部枢着端２１に枢着される。第２の組立部４２は、枢着エリアを有する。第２の組立部４２の枢着エリアは、支持杆３の枢着端３１に枢着される。【選択図】図２
0003223699.tif 000002
【実用新案登録請求の範囲】
【請求項１】
ハードル本体を備えたハードル構造であって、
前記ハードル本体は、横杆と、２つの直杆と、２つの支持杆と、を有し、各前記直杆の下端には、下部枢着端が設けられ、各前記支持杆は、枢着端をそれぞれ有し、複数の枢着部材は、第１の組立部及び第２の組立部をそれぞれ有し、前記第１の組立部は、前記第２の組立部に回動可能に連結され、前記第１の組立部は、枢着エリアを有し、前記第１の組立部の前記枢着エリアは、前記直杆の前記下部枢着端に枢着され、前記第２の組立部は、枢着エリアを有し、前記第２の組立部の前記枢着エリアは、前記支持杆の前記枢着端に枢着され、
前記第１の組立部と前記第２の組立部との間には、調整装置が設けられ、前記調整装置は、係止部材及び位置決め部材を有し、前記係止部材は、複数の凹溝を有し、前記位置決め部材は、当接端を有し、前記当接端が各前記凹溝内に押し当てられ、各前記直杆と各前記支持杆とが所定の角度で係合され、所定の力で前記第１の組立部及び前記第２の組立部を回転させると、前記当接端が各前記凹溝から外れ、各前記直杆と各前記支持杆とにより形成される狭角の角度が調整可能であり、折り畳むことも可能であることを特徴とする、ハードル構造。
【請求項２】
前記横杆と各前記直杆との間には、前記枢着部材がそれぞれ設けられ、前記ハードル本体は、幅及び高さが調整可能であり、折り畳むことも可能であることを特徴とする請求項１に記載のハードル構造。
【請求項３】
前記当接端は、円杆状を呈し、
各前記凹溝の内縁輪郭は、前記当接端の一端の外縁輪郭と一致することを特徴とする請求項１に記載のハードル構造。
【請求項４】
各前記凹溝の外縁両側には、円弧部がそれぞれ設けられることを特徴とする請求項３に記載のハードル構造。
【請求項５】
前記位置決め部材は、収容槽を有し、
前記収容槽内には、弾性部材が設けられ、
前記当接端は、前記収容槽に設けられ、前記弾性部材により前記凹溝に付勢力で押し付けられることを特徴とする請求項１に記載のハードル構造。
【請求項６】
ハードル本体を備えたハードル構造であって、
前記ハードル本体は、横杆と、２つの直杆と、２つの支持杆と、を有し、前記横杆の両側には、２つの枢着端が設けられ、各前記直杆の上端には、上部枢着端が設けられ、複数の枢着部材は、第１の組立部及び第２の組立部をそれぞれ有し、前記第１の組立部は、前記第２の組立部に回動可能に連結され、前記第１の組立部は、枢着エリアを有し、前記枢着エリアは、前記横杆の前記枢着端に枢着され、前記第２の組立部は、前記枢着エリアを有し、前記枢着エリアは、前記直杆の前記上部枢着端に枢着され、
前記第１の組立部と前記第２の組立部との間には、調整装置が設けられ、前記調整装置は、係止部材及び位置決め部材を有し、前記係止部材は、複数の凹溝を有し、前記位置決め部材は、当接端を有し、
前記当接端が各前記凹溝内に押し当てられ、各前記横杆と各前記直杆とが所定の角度で係合され、所定の力で前記第１の組立部及び前記第２の組立部を回転させると、前記当接端が各前記凹溝から外れ、前記横杆と各前記直杆とにより形成される狭角の角度が調整可能であり、折り畳むことも可能であることを特徴とするハードル構造。
【請求項７】
各前記直杆と各前記支持杆との間には、前記枢着部材がそれぞれ設けられ、前記ハードル本体は、高さが調整可能であり、折り畳むことも可能であることを特徴とする請求項６に記載のハードル構造。
【請求項８】
前記当接端は、円杆状を呈し、
各前記凹溝の内縁輪郭は、前記当接端の一端の外縁輪郭と一致することを特徴とする請求項６に記載のハードル構造。
【請求項９】
各前記凹溝の外縁両側には、円弧部がそれぞれ設けられることを特徴とする請求項８に記載のハードル構造。
【請求項１０】
前記位置決め部材は、収容槽を有し、
前記収容槽内には、弾性部材が設けられ、
前記当接端は、前記収容槽に設けられ、前記弾性部材により前記凹溝に付勢力で押し付けられることを特徴とする請求項６に記載のハードル構造。
【考案の詳細な説明】
【技術分野】
【０００１】
本考案は、ハードル構造に関するものである。
【背景技術】
【０００２】
従来のフットワークトレーニングの目的は、フットワークの敏捷性を訓練により獲得するために、複数のハードルを所定の位置に設置し、所定の経路でハードル運動を行うことにある。ハードル運動においては、Ｌ字状のハードルを基本形状とし、ハードルに力が加わると押動されて傾くことにより、人の足がハードルに引っ掛ってバランスを失うことを防ぎ、スポーツ障害の発生を防止していた。
ハードル走とは、一定の高さ、一定の間隔で置かれた一定の数のハードルを跳び越えながら走る短距離走の一種であり、陸上競技の中で複雑な技術が必要な競技である。ハードル走においては、リズム感が重要であり、トレーニング要素が高い。ハードル走を練習すると、スピード、跳躍力、柔軟性、敏捷性などの体力要素を効果的に発達させることができる上、勇気、頑強、決断及び困難を克服する意志を鍛えることもできる。ハードル走の成績は、運動選手の平地における走る速度、ハードルを跳び越えるテクニック、走って跳び越えるテクニック、走る動きと跨ぐ動きとを協調させる能力により決定される。ハードルを利用した障害物競走の練習は、身体の協調性、速度及び跳躍力を効果的に高めることができる。そのため、トレーニングを行う者の背の高さ及び跳躍力に応じて、ハードルの高さが調整できるようにし、特定の背の高さを有する者だけでなく、トレーニングを行う者全てが満足できるハードル構造が求められてきた。
【考案の概要】
【考案が解決しようとする課題】
【０００３】
従って、本考案の課題は、ハードル本体の高さを調整することができるハードル構造を提供することにある。
【課題を解決するための手段】
【０００４】
そこで、本考案者は、本考案の前記課題を解決するため鋭意検討を重ねた結果、後述の如く、トレーニングの際に、折り曲げ可能なハードル構造が前記課題を解決することができる点に着目し、かかる知見に基いて、本考案に想到するに至った。
かくして、本考案の要旨は、次の（１）〜（１０）に記載の通りのものである。
【０００５】
（１）ハードル本体を備えたハードル構造であって、
前記ハードル本体は、横杆と、２つの直杆と、２つの支持杆と、を有し、各前記直杆の下端には、下部枢着端が設けられ、各前記支持杆は、枢着端をそれぞれ有し、複数の枢着部材は、第１の組立部及び第２の組立部をそれぞれ有し、前記第１の組立部は、前記第２の組立部に回動可能に連結され、前記第１の組立部は、枢着エリアを有し、前記第１の組立部の前記枢着エリアは、前記直杆の前記下部枢着端に枢着され、前記第２の組立部は、枢着エリアを有し、前記第２の組立部の前記枢着エリアは、前記支持杆の前記枢着端に枢着され、
前記第１の組立部と前記第２の組立部との間には、調整装置が設けられ、前記調整装置は、係止部材及び位置決め部材を有し、前記係止部材は、複数の凹溝を有し、前記位置決め部材は、当接端を有し、前記当接端が各前記凹溝内に押し当てられ、各前記直杆と各前記支持杆とが所定の角度で係合され、所定の力で前記第１の組立部及び前記第２の組立部を回転させると、前記当接端が各前記凹溝から外れ、各前記直杆と各前記支持杆とにより形成される狭角の角度が調整可能であり、折り畳むことも可能であることを特徴とするハードル構造。
【０００６】
（２）前記横杆と各前記直杆との間には、前記枢着部材がそれぞれ設けられ、前記ハードル本体は、幅及び高さが調整可能であり、折り畳むことも可能であることを特徴とする前記（１）に記載のハードル構造。
【０００７】
（３）前記当接端は、円杆状を呈し、
各前記凹溝の内縁輪郭は、前記当接端の一端の外縁輪郭と一致することを特徴とする前記（１）に記載のハードル構造。
【０００８】
（４）各前記凹溝の外縁両側には、円弧部がそれぞれ設けられることを特徴とする前記（３）に記載のハードル構造。
【０００９】
（５）前記位置決め部材は、収容槽を有し、
前記収容槽内には、弾性部材が設けられ、
前記当接端は、前記収容槽に設けられ、前記弾性部材により前記凹溝に付勢力で押し付けられることを特徴とする前記（１）に記載のハードル構造。
【００１０】
（６）ハードル本体を備えたハードル構造であって、
前記ハードル本体は、横杆と、２つの直杆と、２つの支持杆と、を有し、前記横杆の両側には、２つの枢着端が設けられ、各前記直杆の上端には、上部枢着端が設けられ、複数の枢着部材は、第１の組立部及び第２の組立部をそれぞれ有し、前記第１の組立部は、前記第２の組立部に回動可能に連結され、前記第１の組立部は、枢着エリアを有し、前記枢着エリアは、前記横杆の前記枢着端に枢着され、前記第２の組立部は、前記枢着エリアを有し、前記枢着エリアは、前記直杆の前記上部枢着端に枢着され、
前記第１の組立部と前記第２の組立部との間には、調整装置が設けられ、前記調整装置は、係止部材及び位置決め部材を有し、前記係止部材は、複数の凹溝を有し、前記位置決め部材は、当接端を有し、
前記当接端が各前記凹溝内に押し当てられ、各前記横杆と各前記直杆とが所定の角度で係合され、所定の力で前記第１の組立部及び前記第２の組立部を回転させると、前記当接端が各前記凹溝から外れ、前記横杆と各前記直杆とにより形成される狭角の角度が調整可能であり、折り畳むことも可能であることを特徴とする、ハードル構造。
【００１１】
（７）各前記直杆と各前記支持杆との間には、前記枢着部材がそれぞれ設けられ、前記ハードル本体は、高さが調整可能であり、折り畳むことも可能であることを特徴とする前記（６）に記載のハードル構造。
【００１２】
（８）前記当接端は、円杆状を呈し、
各前記凹溝の内縁輪郭は、前記当接端の一端の外縁輪郭と一致することを特徴とする前記（６）に記載のハードル構造。
【００１３】
（９）各前記凹溝の外縁両側には、円弧部がそれぞれ設けられることを特徴とする前記（８）に記載のハードル構造。
【００１４】
（１０）前記位置決め部材は、収容槽を有し、
前記収容槽内には、弾性部材が設けられ、
前記当接端は、前記収容槽に設けられ、前記弾性部材により前記凹溝に付勢力で押し付けられることを特徴とする前記（６）に記載のハードル構造。
【考案の効果】
【００１５】
本考案は、前記の通りの構成からなり、トレーニングを行う際に、折り曲げ方式によりハードル本体の高さを調節することができるので、特定の背の高さを有する者だけでなく、トレーニングを行う者すべての体格に適合させることができる。
【図面の簡単な説明】
【００１６】
【図１】図１は、本考案の一実施形態に係るハードル構造を示す斜視図である。
【図２】図２は、本考案の一実施形態に係るハードル構造を示す分解斜視図である。
【図３】図３は、本考案の一実施形態に係るハードル構造を示す部分拡大断面図である。
【図４】図４は、本考案の他の実施形態に係るハードル構造を示す分解斜視図である。
【図５】図５は、本考案の他の実施形態に係るハードル構造を示す部分拡大断面図である。
【図６】図６は、本考案の一実施形態に係るハードル構造の使用状態の説明図（１）である。
【図７】図７は、本考案の一実施形態に係るハードル構造の使用状態の説明図（２）である。
【図８】図８は、本考案の一実施形態に係るハードル構造の使用状態の説明図（３）である。
【図９】図９は、本考案の一実施形態に係るハードル構造の使用状態の説明図（４）である。
【考案を実施するための形態】
【００１７】
以下、図面により、本考案を具体的に説明する。もっとも、本考案は、かかる図面により限定されるものではない。
【００１８】
まず、図１〜図５を参照する。図１〜図５に示すように、本考案の一実施形態に係るハードル構造は、少なくともハードル本体Ａを備える。ハードル本体Ａは、横杆１と、２つの直杆２と、２つの支持杆３と、複数の枢着部材４と、を有する。
【００１９】
ハードル本体Ａは、横杆１、各直杆２及び各支持杆３を有する。横杆１の両側には、２つの枢着端１１が設けられる。各直杆２の下端には、下部枢着端２１が設けられる。各支持杆３は、枢着端３１をそれぞれ有する。各枢着部材４は、第１の組立部４１及び第２の組立部４２をそれぞれ有する。各枢着部材４の第１の組立部４１は、各枢着部材４の第２の組立部４２に回動可能に連結される。各枢着部材４の第１の組立部４１は、枢着エリア４１１を有する。各枢着部材４の第１の組立部４１の枢着エリア４１１は、直杆２の下部枢着端２１に枢着される。各枢着部材４の第２の組立部４２は、枢着エリア４２１を有する。各枢着部材４の第２の組立部４２の枢着エリア４２１は、支持杆３の枢着端３１に枢着される。各枢着部材４の第１の組立部４１と各枢着部材４の第２の組立部４２との間には、調整装置４３が設けられる。各枢着部材４の調整装置４３は、係止部材４３１及び位置決め部材４３２を有する。各枢着部材４の調整装置４３の係止部材４３１は、複数の凹溝４３１１を有する。各枢着部材４の調整装置４３の位置決め部材４３２は、当接端４３２１を有する。調整装置４３の位置決め部材４３２の当接端４３２１が調整装置４３の係止部材４３１の各凹溝４３１１内に押し当てられ、各直杆２と各支持杆３とが所定の角度で係合され、所定の力で各枢着部材４の第１の組立部４１及び各枢着部材４の第２の組立部４２が回転されると、調整装置４３の位置決め部材４３２の当接端４３２１が調整装置４３の係止部材４３１の各凹溝４３１１から外れ、各直杆２と各支持杆３とにより形成される狭角の角度が調整可能であり、折り畳むことも可能である。
【００２０】
以下、上述した構造についてさらに詳細に説明する。
前述した横杆１と各直杆２との間には、枢着部材４が設けられ、ハードル本体Ａの幅及び高さが調整可能であり、折り畳むことも可能である。
【００２１】
前述した調整装置４３の位置決め部材４３２の当接端４３２１は、円杆状を呈し、調整装置４３の係止部材４３１の各凹溝４３１１の内縁輪郭が、調整装置４３の位置決め部材４３２の当接端４３２１の一端の外縁輪郭と一致し、調整装置４３の位置決め部材４３２の当接端４３２１が調整装置４３の係止部材４３１の各凹溝４３１１内に係合され、ハードル本体Ａに係合位置決め機能を付与する。
【００２２】
調整装置４３の係止部材４３１の各凹溝４３１１の外縁両側には、円弧部４３１２がそれぞれ設けられ、調整装置４３の位置決め部材４３２の当接端４３２１が調整装置４３の係止部材４３１の各凹溝４３１１内に係合され、回転方式により調整装置４３の位置決め部材４３２の当接端４３２１を、調整装置４３の係止部材４３１の各円弧部４３１２に沿って、調整装置４３の係止部材４３１の各凹溝４３１１から外すことができる。
【００２３】
ここで、横杆１と各直杆２とは一体成形してもよく、各直杆２は、横杆１の両端から下向きに延びる。
【００２４】
本考案の他の実施形態に係るハードル構造は、少なくともハードル本体Ａを備える。ハードル本体Ａは、横杆１と、２つの直杆２と、２つの支持杆３と、複数の枢着部材４と、を有する。
【００２５】
ハードル本体Ａは、横杆１と、各直杆２と、各支持杆３と、を有する。横杆１の両側には、２つの枢着端１１が設けられる。各直杆２の上端には、上部枢着端２２が設けられる。各枢着部材４は、第１の組立部４１及び第２の組立部４２をそれぞれ有する。各枢着部材４の第１の組立部４１は、各枢着部材４の第２の組立部４２に回動可能に連結される。各枢着部材４の第１の組立部４１は、枢着エリア４１１を有する。各枢着部材４の第１の組立部４１の枢着エリア４１１は、横杆１の枢着端１１に枢着される。各枢着部材４の第２の組立部４２は、枢着エリア４２１を有する。各枢着部材４の第２の組立部４２の枢着エリア４２１は、直杆２の上部枢着端２２に枢着される。各枢着部材４の第１の組立部４１と各枢着部材４の第２の組立部４２との間には、調整装置４３が設けられる。各枢着部材４の調整装置４３は、係止部材４３１及び位置決め部材４３２を有する。各枢着部材４の調整装置４３の係止部材４３１は、複数の凹溝４３１１を有する。各枢着部材４の調整装置４３の位置決め部材４３２は、当接端４３２１を有する。調整装置４３の位置決め部材４３２の当接端４３２１が調整装置４３の係止部材４３１の各凹溝４３１１内に押し当てられ、横杆１と各直杆２とが所定の角度で係合され、所定の力で各枢着部材４の第１の組立部４１及び各枢着部材４の第２の組立部４２を回転させると、調整装置４３の位置決め部材４３２の当接端４３２１が調整装置４３の係止部材４３１の凹溝４３１１から外れ、各横杆１と各直杆２により形成される狭角の角度が調整可能であり、折り畳むことも可能である。
【００２６】
以下、上述した構造についてさらに詳細に説明する。
前述した各直杆２と各支持杆３との間には、枢着部材４がそれぞれ設けられ、ハードル本体Ａの高さが調整可能であり、折り畳むことも可能である。
【００２７】
前述した調整装置４３の位置決め部材４３２の当接端４３２１は、円杆状を呈し、調整装置４３の係止部材４３１の各凹溝４３１１の内縁輪郭が、調整装置４３の位置決め部材４３２の当接端４３２１の一端の外縁輪郭と一致し、調整装置４３の位置決め部材４３２の当接端４３２１が調整装置４３の係止部材４３１の各凹溝４３１１内に係合され、ハードル本体Ａに係合位置決め機能を付与する。
【００２８】
調整装置４３の係止部材４３１の各凹溝４３１１の外縁両側には、円弧部４３１２がそれぞれ設けられ、調整装置４３の位置決め部材４３２の当接端４３２１が調整装置４３の係止部材４３１の各凹溝４３１１内に係合されると、回転方式により調整装置４３の位置決め部材４３２の当接端４３２１が、調整装置４３の係止部材４３１の各円弧部４３１２に沿って、調整装置４３の係止部材４３１の各凹溝４３１１から外すことができる。
【００２９】
ここで、直杆２と支持杆３とは一体成形してもよく、支持杆３は、直杆２の下端から一側に向けて延びる。
【００３０】
図１〜図５に併せて図６〜図９を参照する。図６〜図９は、本考案の一実施形態に係るハードル構造の使用状態の説明図（１）〜（４）である。本考案の一実施形態に係るハードル構造は、少なくともハードル本体Ａを備える。ハードル本体Ａは、横杆１と、２つの直杆２と、２つの支持杆３と、複数の枢着部材４と、を有する。ハードル本体Ａ、横杆１、各直杆２、各支持杆３及び各枢着部材４の構造については既に説明しているため、ここでは繰り返して説明しない。
【００３１】
各枢着部材４の調整装置４３の位置決め部材４３２には、収容槽４３２３がそれぞれ形成される。調整装置４３の位置決め部材４３２の収容槽４３２３内には、弾性部材４３２２が設けられる。調整装置４３の位置決め部材４３２の当接端４３２１は、調整装置４３の位置決め部材４３２の収容槽４３２３に設けられ、調整装置４３の位置決め部材４３２の弾性部材４３２２は、調整装置４３の係止部材４３１の各凹溝４３１１に付勢力で押し付けられる（図９を参照する）。
【００３２】
本考案の他の実施形態に係るハードル構造は、少なくともハードル本体Ａを備える。ハードル本体Ａは、横杆１、各直杆２、各支持杆３及び各枢着部材４を有する。各直杆２は、下部枢着端２１及び上部枢着端２２をそれぞれ有する。各支持杆３は、枢着端３１をそれぞれ有する。横杆１の両側には、枢着端１１がそれぞれ設けられる。各枢着部材４は、第１の組立部４１及び第２の組立部４２をそれぞれ有する。各枢着部材４の第１の組立部４１は、各枢着部材４の第２の組立部４２に回動可能に連結される。各枢着部材４の第１の組立部４１は、枢着エリア４１１を有する。各枢着部材４の第１の組立部４１の枢着エリア４１１は、直杆２の下部枢着端２１に枢着される。各枢着部材４の第１の組立部４１の枢着エリア４１１は、横杆１の枢着端１１に枢着される。各枢着部材４の第２の組立部４２は、枢着エリア４２１を有する。各枢着部材４の第２の組立部４２の枢着エリア４２１は、支持杆３の枢着端３１に枢着される。各枢着部材４の第２の組立部４２の枢着エリア４２１は、直杆２の上部枢着端２２に枢着される。各枢着部材４の第１の組立部４１と枢着部材４の第２の組立部４２との間には、調整装置４３が設けられる。各枢着部材４の調整装置４３は、係止部材４３１及び位置決め部材４３２を有する。各枢着部材４の調整装置４３の係止部材４３１は、凹溝４３１１をそれぞれ有する。各枢着部材４の調整装置４３の位置決め部材４３２は、当接端４３２１を有する。当接端４３２１は、各凹溝４３１１内に押し付けられ、横杆１、各直杆２及び各支持杆３が所定の角度で係合され、所定の力で各枢着部材４の第１の組立部４１及び各枢着部材４の第２の組立部４２が回転されると、当接端４３２１が各凹溝４３１１から外れ、ハードル本体Ａの狭角の角度が調整可能であり、折り畳むことも可能である。
【００３３】
本考案のハードル構造は、前記の通りの構成からなるものであり、トレーニングを行う際に折り曲げ方式によりハードル本体の高さを調整することができる。
【符号の説明】
【００３４】
１  横杆
２  直杆
３  支持杆
４  枢着部材
１１  枢着端
２１  下部枢着端
２２  上部枢着端
３１  枢着端
４１  第１の組立部
４２  第２の組立部
４３  調整装置
４１１  枢着エリア
４２１  枢着エリア
４３１  係止部材
４３２  位置決め部材
４３１１  凹溝
４３１２  円弧部
４３２１  当接端
４３２２  弾性部材
４３２３  収容槽
Ａ  ハードル本体
【図１】
0003223699.tif 000003
【図２】
0003223699.tif 000004
【図３】
0003223699.tif 000005
【図４】
0003223699.tif 000006
【図５】
0003223699.tif 000007
【図６】
0003223699.tif 000008
【図７】
0003223699.tif 000009
【図８】
0003223699.tif 000010
【図９】
0003223699.tif 000011